(57)【要約】【課題】汎用の検波ＩＣを用いて、小型でイメージ選択度特性の優れた微弱無線／小電力設備局によるＡＳＫ/ＦＳＫ受信装置を構成する。【解決手段】アンテナ１と、ＲＦバンドパスフィルタとしてのＨＦＦ-ＭＣＦ２ａを含む高周波入力回路２と、局部発振器４ｃと、ＩＦバンドパスフィルタとしてのアクティブフィルタ５のＣＲ定数回路５ａ２と、検波用の移相回路６ｂと、検波用ローパスフィルタ回路６ｃのＣＲ定数回路６ｃ２と、ＲＦアンプ３とミキサ４ａと周波数逓倍部４ｂとＩＦバンドパスフィルタとしてのアクティブフィルタ５ａのフィルタアンプ５ａ１とＩＦリミッタアンプ５ｂと検波部６ａと検波用ローパスフィルタ回路６ｃのフィルタアンプ６Ｃ１とコンパレータ６ｄとを内蔵したＡＳＫ/ＦＳＫ対応の検波ＩＣ７と、で、ＲＦ周波数が３００ＭＨｚ〜４００ＭＨｚ、中間周波数が百数十ｋＨｚ〜数百ｋＨｚのＡＳＫ/ＦＳＫ受信装置１００を構成する。【選択図】図１
2006229426.tif 000002
【特許請求の範囲】
【請求項１】
アンテナと、高周波バンドパスフィルタを含む高周波入力回路と、圧電振動子を含む局部発振回路と、中間周波バンドパスフィルタのＣ、Ｒ定数回路と、検波用移相回路と、検波用ローパスフィルタのＣ、Ｒ定数回路と、高周波増幅回路と周波数変換部と中間周波バンドパスフィルタのフィルタアンプと中間周波増幅回路と検波部と検波用ローパスフィルタのフィルタアンプとコンパレータとを内蔵した検波ＩＣと、で構成されるＡＳＫ／ＦＳＫ対応の受信装置であって、
前記受信装置の中間周波信号の中心周波数が１００ｋＨｚ超１ＭＨｚ未満の周波数帯であって、前記高周波バンドパスフィルタが基本波モノリシック多重モードフィルタで構成されることを特徴とするＡＳＫ／ＦＳＫ対応の受信装置。
【請求項２】
局部発振回路の圧電振動子と基本波モノリシック多重モードフィルタとが一つの圧電基板上に一体的に構成された圧電デバイスを用いたことを特徴とする請求項１に記載の受信装置。
【請求項３】
前記圧電デバイスが、前記圧電振動子及び前記基本波モノリシック多重モードフィルタの励振電極が形成される薄肉の振動部と該振動部の周囲を支持する厚肉の環状囲繞部とが一体的に構成された圧電振動素子をセラミックの容器に収容して上蓋で密封した構造を有し、前記圧電振動素子の振動部の一方の主面に圧電振動子の励振電極とモノリシック多重モードフィルタの励振用分割電極を形成し、前記圧電振動素子の振動部の他方の主面に圧電振動子の他の励振電極とモノリシック多重モードフィルタの励振用共通電極とを形成したものであることを特徴とする請求項２に記載の受信装置。
【発明の詳細な説明】
【技術分野】
【０００１】
本発明は、微弱無線あるいは小電力無線設備のＡＳＫ/ＦＳＫ対応の受信装置に関し、特に小型でイメージ周波数選択度特性の優れたＡＳＫ/ＦＳＫ対応の受信装置に関する。
【背景技術】
【０００２】
従来より、微弱無線あるいは小電力無線設備による近距離のＦＭ音声通信、ＦＳＫデータ通信は、無線局の運用のための周波数の使用に免許が不要で、且つ低コストで通信システムを構成できる等の利点から、車両等のキーレスエントリ、ワイヤレススピーカ、ゲーム機等の広い分野で用いられている。
図４は、従来のＦＭ/ＦＳＫに対応した受信装置の一例を示す構成概要図である。同図に示すように、本受信装置１０は、アンテナ１と、ＲＦバンドパスフィルタ２ｂを含むＲＦ入力回路２と、ＲＦアンプ３と、ミキサ４ｄと周波数逓倍部４ｂと局部発振器４ｅとを備えた周波数変換部４と、ＩＦバンドパスフィルタ５ｃとＩＦリミッタアンプ５ｂとを備えたＩＦ増幅部５と、検波部６ａと検波用の移相回路６ｅと検波用ローパスフィルタ６ｃとコンパレータ６ｄから成る検波出力部６と、で構成される。
【０００３】
同図において、アンテナ１で受信された受信電波は、ＲＦ入力回路２のＲＦバンドパスフィルタ２ｂで所定の周波数帯域が選択され、ＲＦアンプ３でレベル増幅されて周波数変換部４のミキサ４ｄの一方の入力端に出力される。
前記ミキサ４ｄのもう一方の入力端には、周波数逓倍部４ｂで所定の周波数に逓倍された局部発振器４ｅの発振出力が入力する。
ミキサ４ｄにおいて周波数逓倍部４ｂ出力信号と周波数混合されて所定の中間周波数に変換された受信波（以下、ＩＦ受信波という）は、ＩＦ増幅部５のＩＦバンドパスフィルタ５ｃに出力される。
【０００４】
前記ＩＦバンドパスフィルタ５ｃで不要波が除去されたＩＦ受信波は、ＩＦリミッタアンプ５ｂにおいて所定のレベルに増幅されて検波出力部６に出力される。
検波出力部６に入力したＩＦ受信波は、検波部６ａ及び移相回路６ｅによって検波が行われ、その検波出力は、検波用ローパスフィルタ回路６ｃで高周波成分が除去されてコンパレータ６ｄに出力される。
前記検波出力は、コンパレータ６ｄにおいて波形成形されて図のＤＡＴＡ-ＯＵＴ端より復調信号として取り出される。
また、前記検波部６ａの出力信号は、図のＡＦ-ＯＵＴ端より直接取り出すことができる。
【０００５】
上記構成の受信装置１０においては、例えば、前記のＲＦアンプ３、ミキサ４ｄ、周波数逓倍部４ｂ、ＩＦリミッタアンプ５ｂ、検波部６ａ、検波用ローパスフィルタ回路６ｃの図示しないバッファアンプ及びコンパレータ６ｄを内蔵した、小型化の汎用のＡＳＫ/ＦＳＫ対応の検波ＩＣ（以下、単に検波ＩＣという）、例えば、株式会社東芝製の集積回路：TA31275FN，TA31275FNG が市場に提供されている。
図５は、上述の検波ＩＣを用いて図４の受信装置１０を構成した例を示す構成概要図である。
同図に示されるように、本受信装置１０ａは、アンテナ１と、ＲＦバンドパスフィルタとしてのＳＡＷフィルタ２ｂを含むＲＦ入力回路２と、局部発振器４ｅと、ＩＦバンドパスフィルタとしてのセラミックフィルタ５ｃと、移相回路としてのディスクリミネータ６ｅと、検波用ローパスフィルタ回路６ｃのＣＲ定数回路６ｃ２と、検波ＩＣ７ａと、で構成される。
【０００６】
前記検波ＩＣ７ａは、前述のように、ＲＦアンプ３、ミキサ４ｄ、周波数逓倍部４ｂ、ＩＦリミッタアンプ５ｂ、検波部６ａ、検波用ローパスフィルタ回路６ｃのフィルタアンプ６ｃ１及びコンパレータ６ｄを内蔵した検波ＩＣである。
そして、本ＡＳＫ/ＦＳＫ対応の受信装置１０ａは、前記構成部位のうちの検波ＩＣ７ａを除く各構成部位が前記検波ＩＣ７ａの所定の端子に外付け部品として接続されて構成される、ＲＦ周波数が３００〜４００ＭＨｚ帯の、中間周波数が１０.７ＭＨｚの受信装置の構成例でる。
【非特許文献１】東芝バイポーラ形リニア集積回路  シリコン  モノリシック                        ＴＡ３１２７５ＦＮ，ＴＡ３１２７５ＦＮＧ  データシート
【非特許文献２】東芝バイポーラ形リニア集積回路  シリコン  モノリシック                        ＴＡ３２３０５ＦＮ/ＴＡ３２３０５５ＦＮＧ  データシート
【発明の開示】
【発明が解決しようとする課題】
【０００７】
微弱無線あるいは小電力無線局は、周波数の使用に免許が不要であるが、一方、電波法で送信出力が低く規定されているため、通信距離を伸ばすために受信装置の感度特性の改善が望まれるとともに、使用者の利便性を高めるため、さらなる小型化の要望が強くなっている。
この要望に対応する手段として、受信装置の中間周波信号の周波数を、１０.７ＭＨｚから８０ｋＨｚと低くし、中間周波用バンドパスフィルタを従来のセラミック共振子の電気機械振動を利用したセラミックフィルタから、容量と抵抗とＩＣとで構成されるアクティブフィルタに変更することによって、小型化することが可能な低中間周波タイプのＡＳＫ/ＦＳＫ対応検波ＩＣ、例えば、株式会社東芝製の集積回路：TA32305FN/TA323055FNG が市場に提供された。
【０００８】
図６は、図４の受信装置１０と同一の機能をもち、且つ前記低中間周波タイプのＡＳＫ/ＦＳＫ対応検波ＩＣを用いて構成した、ＲＦ周波数が３００〜４００ＭＨｚ帯のＡＳＫ/ＦＳＫ対応の受信装置の構成概要図である。
同図に示されるように、本受信装置１０ｂは、アンテナ１と、ＲＦバンドパスフィルタとしてのＳＡＷフィルタ２ｂを含むＲＦ入力回路２と、局部発振器４ｆと、ＩＦバンドパスフィルタとしてのアクティブフィルタ５ａのＣＲ定数回路５ａ３と、検波用移相回路６ｂと、検波用ローパスフィルタ回路６ｃのＣＲ定数回路６ｃ２と、検波ＩＣ７と、で構成される。
【０００９】
また、同図に示されるように、前記検波ＩＣ７は、ＲＦアンプ３、ミキサ４ａ、周波数逓倍部４ｂ、ＩＦバンドパスフィルタとしてのアクティブフィルタ５ａのフィルタアンプ５ａ１、ＩＦリミッタアンプ５ｂ、検波部６ａ、検波用ローパスフィルタ回路６ｃのバッファアンプ６ｃ１及びコンパレータ６ｄを内蔵した検波ＩＣである。
そして、本ＡＳＫ/ＦＳＫ受信装置１０ｂは、前記構成部位のうちの検波ＩＣ７を除く各構成部位が前記検波ＩＣ７の所定の端子に外付け部品として接続されて構成される、中間周波数が８０ｋＨｚの受信装置である。
【００１０】
上述のように、ＩＦバンドパスフィルタを従来の外付け部品のセラミックフィルタより、外付け部品のＣＲ定数回路と検波ＩＣ内臓のフィルタアンプとで構成されるアクティブフィルタ５ａとし、その通過帯域幅を数十ｋＨｚ程度に狭くした構成とすることによって、本ＡＳＫ/ＦＳＫ受信装置１０ｂは、高感度で小型化されるとともに、この検波ＩＣ７を用いることによって、さらに検波回路用の移相回路として外付け部品のディスクリミネータを用いていたものが簡単な容量回路で構成される移相回路とすることが可能であるため、さらに小型が可能となる。
【００１１】
しかしながら、上記の中間周波信号の周波数８０ｋＨｚのイメージ周波数（１６０ｋＨｚ）に対しては、ＲＦバンドパスフィルタのＳＡＷフィルタ２ｂでは減衰量がほとんど得られないため、前記検波ＩＣ７に簡易なイメージ周波数除去機能を持たせることによってイメージ周波数に対する所望の選択度特性を得ており、従来の受信装置１０ａにおけるイメージ減衰量に比べてきわめて性能が劣化するという問題があった。
また、検波ＩＣに外付けされる構成部品に大型のものがあるために、さらなる小型化が困難であるという問題があった。
本発明は、上記問題の解決のためになされたものであって、小型、高感度で、且つイメージ周波数選択度特性の優れたＡＳＫ／ＦＳＫ対応の受信装置を提供することを目的とする。
【課題を解決するための手段】
【００１２】
上記課題を解決するため、請求項１においては、アンテナと、高周波バンドパスフィルタを含む高周波入力回路と、圧電振動子を含む局部発振回路と、中間周波バンドパスフィルタのＣ、Ｒ定数回路と、検波用移相回路と、検波用ローパスフィルタのＣ、Ｒ定数回路と、高周波増幅回路と周波数変換部と中間周波バンドパスフィルタのフィルタアンプと中間周波増幅回路と検波部と検波用ローパスフィルタのフィルタアンプとコンパレータとを内蔵した検波ＩＣと、で構成されるＡＳＫ／ＦＳＫ対応の受信装置であって、
前記受信装置の中間周波信号の中心周波数が１００ｋＨｚ超１ＭＨｚ未満の周波数帯であって、前記高周波バンドパスフィルタが基本波モノリシック多重モードフィルタで構成されることを特徴とする。
【００１３】
また、請求項２の受信装置においては、局部発振回路の圧電振動子と基本波モノリシック多重モードフィルタとが一つの圧電基板上に一体的に構成された圧電デバイスを用いたことを特徴とする。
【００１４】
請求項３においては、請求項２に記載の受信装置であって、前記圧電デバイスが、前記圧電振動子及び前記基本波モノリシック多重モードフィルタの励振電極が形成される薄肉の振動部と該振動部の周囲を支持する厚肉の環状囲繞部とが一体的に構成された圧電振動素子をセラミックの容器に収容して上蓋で密封した構造を有し、前記圧電振動素子の振動部の一方の主面に圧電振動子の励振電極とモノリシック多重モードフィルタの励振用分割電極を形成し、前記圧電振動素子の振動部の他方の主面に圧電振動子の他の励振電極とモノリシック多重モードフィルタの励振用共通電極とを形成したものであることを特徴とする。
【発明の効果】
【００１５】
本発明においては、従来、中間周波数が８０ｋＨｚであって、ＩＦバンドパスフィルタをアクティブフィルタとし、別途イメージ周波数除去機能を備えた汎用の検波ＩＣと、ＲＦバンドパスフィルタとしてのＳＡＷフィルタとで構成されるＡＳＫ/ＦＳＫ受信装置を、中間周波数を百数十ｋＨｚ〜数百ｋＨｚとし、前記汎用検波ＩＣと、ＲＦバンドパスフィルタとして狭帯域化が可能な基本波モノリシック多重モードフィルタとで構成することによって、小型化を確保しながら、且つ充分なイメージ周波数選択度を備えＡＳＫ/ＦＳＫ受信装置を構成することが可能となる。
さらに、前記基本波モノリシック多重モードフィルタと局部発振器の圧電振動子を同一の圧電振動素子上に構成して一体構造の圧電デバイスとし、この圧電デバイスを前記ＦＭ/ＦＳＫ受信装置に用いることによって更に小型化が可能となる。
したがって、本発明の受信装置によれば、小型で優れたイメージ周波数選択度特性を持ったＡＳＫ／ＦＳＫ対応の受信装置を提供する上で著効を奏する。
【発明を実施するための最良の形態】
【００１６】
本発明を図面に示した実施の形態に基づいて説明する。
図１は、本発明に係わる微弱無線あるいは小電力無線局によるＡＳＫ／ＦＳＫ対応の受信装置の実施の一形態例を示す構成概要図である。
同図に示すように、本受信装置１００は、アンテナ１と、ＲＦバンドパスフィルタとしての高周波基本波モノリシック多重モードフィルタ（High Frequency Fundamental Monolithic Crystal Filter、以下、単にＨＦＦ-ＭＣＦという）２ａを含む高周波入力回路２と、局部発振器４ｃと、ＩＦバンドパスフィルタとしてのアクティブフィルタ５ａのＣＲ定数回路５ａ２と、検波用の移相回路６ｂと、検波用ローパスフィルタ６ｃのＣＲ定数回路６ｃ２と、ＲＦアンプ３とミキサ４ａと周波数逓倍部４ｂとＩＦバンドパスフィルタとしてのアクティブフィルタ５ａのフィルタアンプ５ａ１とＩＦリミッタアンプ５ｂと検波部６ａと検波用ローパスフィルタ回路６ｃのフィルタアンプ６Ｃ１とコンパレータ６ｄとを内蔵したＡＳＫ/ＦＳＫ対応の検波ＩＣ（以下、単に検波ＩＣという）７と、で構成される。そして、前記検波ＩＣ７は、図６の受信装置１０ｂの第２の検波ＩＣ７と同一の検波ＩＣが用いられる。
【００１７】
本受信装置１００の動作は、中間周波信号の中心周波数を１００ｋＨｚ超１ＭＨｚ未満の周波数帯としたことと、前記ＨＦＦ−ＭＣＦ２ａ、局部発振器４ｃ、ＩＦバンドパスフィルタとしてのアクティブフィルタ５のＣＲ定数回路５ａ２の動作を除いて、図６の受信装置１０ｂの受信動作と同一であるので、共通部分の動作の説明は省略する。
【００１８】
そして、前記局部発振器４ｃは、３００〜４００ＭＨｚ帯の受信高周波信号の周波数を百数十ｋＨｚ〜数百ｋＨｚの周波数帯の受信中間周波信号に変換するために必要な所定の発振周波数を出力する。
また、前記フィルタアンプ５ａ１とＣＲ定数回路５ａ２とで構成されるアクティブフィルタ５ａは、前記の受信中間周波信号に対する所定の通過帯域幅をもつＩＦバンドパスフィルタを構成する。
【００１９】
いま、例えば、ＲＦ周波数を３５０ＭＨｚ、中間周波信号の周波数を２００ｋＨｚとしたとき、そのイメージ周波数は、３５０ＭＨｚの受信高周波信号に対して４００ｋＨｚ（＝２００ｋＨｚ×２）離れた周波数となり、このイメージ周波数に対して狭帯域で急峻な減衰特性をもつ前記ＨＦＦ-ＭＣＦ２ａは、充分に前記イメージ周波数に対して減衰量を確保することができる。
このため、図６の受信装置１０ｂのように別途イメージ除去回路を構成する必要がなく、且つ、ＩＦバンドパスフィルタとしてアクティブフィルタを用いたことによる小型化のメリットや移相回路をディスクリミネータによらずして簡単な容量回路で構成できることによる小型化のメリットを確保しつつ、イメージ周波数除去特性の優れた、高感度のＡＳＫ／ＦＳＫ対応の受信装置を構成することができる。
【００２０】
図１の受信装置１００を、前記ＨＦＦ-ＭＣＦ２ａと局部発振器４ｃの圧電振動子を一体構造の圧電デバイスとすることによって、さらに小型化する手段を以下に説明する。
図２は、本発明に係わるＨＦＦ-ＭＣＦと局部発振器の圧電振動子とを一体構造とした圧電デバイスの実施の一形態例を示す構造図で、（ａ）は、縦断面図、（ｂ）は、上蓋を開放した上面図である。
同図に示すように、本圧電デバイス５０は、圧電基板の中央部に薄肉の振動部５１を設け、その両面に電極を形成した圧電振動素子５２をセラミックパッケージ５３の内底面に設けられた接続パッド電極５４に装着して収容し、上蓋５５で密封した構造を有する。前記セラミックパッケージ５３の外底面には、図示しない接続導体で圧電振動素子５２の電極と接続された複数の外部接続端子５６を備えている。
【００２１】
図３は、前記圧電振動素子５２の形態例を示す構造図で、（ａ）は、上面図、（ｂ）は、下面図、（ｃ）は、（ａ）のＡ-Ａ' 矢視部の縦断面図である。
同図に示されるように、圧電振動素子５２は、例えばＡＴカットの水晶基板の片面の中央部にエッチングによって凹部５７を形成し、該凹部５７の底面に形成された薄肉の振動部５１の周縁部に厚肉の環状囲繞部５８を前記振動部５１と一体的に形成して、薄肉の振動部５１を機械的に保持した構造を有する。
同図（ａ）に示されるように、前記水晶振動素子５２の振動部５１の一方の主面には、圧電振動子としての水晶振動子の励振電極５９ａとＨＦＦ-ＭＣＦの励振用共通電極６０ａとが形成され、それぞれリード電極を介して前記環状囲繞部５８に設けられたパッド電極６１、６２に接続される。
また、同図（ｂ）に示されるように、水晶振動素子５２の振動部５１の他方の主面には、前記水晶振動子の励振電極５９ａとＨＦＦ-ＭＣＦ励振用共通電極６０ａのそれぞれに対向する位置に、水晶振動子の励振電極５９ｂとＨＦＦ-ＭＣＦ励振用分割電極６０ｂ、６０ｃとが形成され、それぞれリード電極を介して環状囲繞部５８に設けられたパッド電極６３、６４、６５に接続される。
【００２２】
ここで、前述のように、仮に、ＲＦ受信波の中心周波数を３５０ＭＨｚのＲＦバンドパスフィルタとしてのＨＦＦ-ＭＣＦを実現しようとするときの前記水晶振動素子５２の振動部５１の厚みと、受信中間周波信号の周波数の２００ｋＨｚを生成するための３４９.８ＭＨｚ局部発振器の水晶振動子を実現するための前記水晶振動素子５２の振動部５１の厚みは、ＡＴカットの水晶基板の場合、周知のように、次式で与えられる。
Ｋ＝ｆ×ｔ
ただし、    Ｋ＝１６７０（ＭＨｚ×μｍ）
ｆ=周波数（ＭＨｚ）
ｔ＝水晶基板の厚み（μｍ）    
上式によって、前記ＨＦＦ-ＭＣＦと水晶振動子の振動部の厚みを算出すると、それぞれ、４．７７１μｍ、４．７７４μｍとなる。
【００２３】
したがって、前記水晶振動素子５２に上記基板厚みのＨＦＦ-ＭＣＦと水晶振動子を構成するためには、前記水晶基板に凹部５７を形成するときに、図３（ａ）、（ｂ）に示す振動部５１中央部の点線より上方の部分が４．７７１μｍ、点線より下方の部分が４．７７４μｍとなるようにエッチング加工することによって構成することができる。
【００２４】
上記構造の水晶振動素子５２のパッド電極６１、６２、６３、６４、６５をセラミックパッケージ５３の凹部内底面設けられた複数のパッド電極５４にはんだ付け等によって装着することによって水晶振動子とＨＦＦ-ＭＣＦを同一の水晶基板上に形成した圧電デバイス５０が構成される。
この圧電デバイス５０を用いることによって、従来、局部発振器の圧電振動子とＲＦバンドパスフィルタとしてのＨＦＦ-ＭＣＦを個別に構成していたＡＳＫ/ＦＳＫ対応の受信装置をさらに小型化することができる。
【図面の簡単な説明】
【００２５】
【図１】本発明に係わる微弱無線あるいは小電力無線局によるＡＳＫ／ＦＳＫ対応の受信装置の実施の一形態例を示す構成概要図。
【図２】本発明に係わるＨＦＦ-ＭＣＦと局部発振器の圧電振動子とを一体構造とした圧電デバイスの実施の一形態例を示す構造図で、（ａ）は、縦断面図、（ｂ）は、上蓋を開放した上面図。
【図３】図２の圧電デバイスの圧電振動素子の形態例を示す構造図で、（ａ）は、上面図、（ｂ）は、下面図、（ｃ）は、（ａ）のＡ-Ａ' 矢視部の縦断面図。
【図４】従来の微弱無線あるいは小電力無線局によるＡＳＫ／ＦＳＫ対応の受信装置の一例を示す構成概要図。
【図５】図４の受信装置を汎用の検波ＩＣを用いて構成したＡＳＫ／ＦＳＫ対応の受信装置の一例を示す構成概要図。
【図６】汎用の低中間周波タイプの検波ＩＣを用いて構成したＡＳＫ／ＦＳＫ対応の受信装置の一例を示す構成概要図。
【符号の説明】
【００２６】
１・・アンテナ、２・・ＲＦ入力回路、２ａ・・ＨＦＦ-ＭＣＦ、
２ｂ・・ＲＦバンドパスフィルタ（ＳＡＷフィルタ）、
３・・ＲＦアンプ、  ４・・周波数変換部、４ａ・・ミキサ、４ｂ・・周波数逓倍部、
４ｃ・・局部発振器、４ｄ・・ミキサ、４ｅ、４ｆ・・局部発振器、５・・ＩＦ増幅部、
５ａ・・アクティブフィルタ、５ａ１・・フィルタアンプ、５ａ２、５ａ３・・ＣＲ定数回路、
５ｂ・・ＩＦリミッタアンプ、５ｃ・・ＩＦバンドパスフィルタ（セラミックフィルタ）、
６・・検波出力部、６ａ・・検波部、６ｂ・・移相回路、６ｃ・・検波用ローパスフィルタ、
６ｃ１・・検波用ローパスフィルタのフィルタアンプ、６Ｃ２・・ＣＲ定数回路、
６ｄ・・コンパレータ、６ｅ・・移相回路（ディスクリミネータ）、
７・・低中間周波タイプのＡＳＫ/ＦＳＫ検波ＩＣ、７ａ・・ＡＳＫ/ＦＳＫ対応検波ＩＣ、
１０、１０ａ、１０ｂ・・ＡＳＫ/ＦＳＫ受信装置、５０・・圧電デバイス、５１・・振動部、
５２・・圧電振動素子（水晶振動素子）、５３・・セラミックパッケージ、
５４・・接続パッド電極、５５・・上蓋、５６・・外部接続端子、５７・・凹部、
５８・・環状囲繞部、５９ａ、５９ｂ・・水晶振動子の励振電極、
６０ａ・・ＨＦＦ-ＭＣＦの励振用共通電極、６０ｂ、６０ｃ・・ＨＦＦ-ＭＣＦ励振用分割電極、
６１、６２、６３、６４、６５・・パッド電極、１００・・ＡＳＫ/ＦＳＫ受信装置
【図１】
2006229426.tif 000003
【図２】
2006229426.tif 000004
【図３】
2006229426.tif 000005
【図４】
2006229426.tif 000006
【図５】
2006229426.tif 000007
【図６】
2006229426.tif 000008